(57)【特許請求の範囲】
【請求項１】
利用者がインターネット上に設置されたＩＤ番号販売システムにアクセスし、希望するアクセス番号を必要とするサービスを受けるためのＩＤ番号の購入要求を発信することにより、上記ＩＤ番号販売システムは電子決済機関を呼び出し、この電子決済機関に上記利用者が会員登録されているか否かを調査させ、登録されていることを確認して、全てのＩＤ番号に対して共通に設けたアクセス番号表示用ＵＲＬを販売するＩＤ番号に付加して、上記利用者に送付し、上記アクセス番号表示用ＵＲＬと、地域名とによってアクセスされるｗｅｂページを設け、このｗｅｂページに各地域毎に定められたアクセス番号を記述し、上記アクセス番号表示用ＵＲＬと地域名が端末から発信された場合に、その指定された地域のアクセス番号を記述したｗｅｂページをそのアクセス番号表示用ＵＲＬと地域名を発信した端末に発送することを特徴とするＩＤ番号販売方法。
【請求項２】
請求項１記載のＩＤ番号販売方法において、上記ＩＤ番号販売代金は電子決済機関が利用者から徴収し、電子決済機関から上記ＩＤ番号販売システムの運営者に支払われることを特徴とするＩＤ番号販売方法。
【請求項３】
請求項１又は２記載のＩＤ番号販売方法の何れかにおいて、ＩＤ番号の購入のための手順の中に購入希望者に暗証番号を入力させるステップを設け、この暗証番号と、ＩＤ番号毎に用意したＩＤ番号確認用ＵＲＬとを記憶部に記憶させ、購入希望者にはＩＤ番号にＩＤ番号確認用ＵＲＬとアクセス番号表示用ＵＲＬを付加して送付することを特徴とするＩＤ番号販売方法。
【請求項４】
端末からのアクセス番号を必要とするサービスを受けるためのＩＤ番号購入要求に対して電子決済機関に接続要求を発信する電子決済機関呼出手段と、電子決済機関にＩＤ番号購入希望者が当該電子決済機関に登録されている会員であるか否かの調査を依頼する調査要求手段と、調査結果に応じてＩＤ番号購入希望者にＩＤ番号を送付するか否かを判定する判定手段と、この判定手段の判定結果によりＩＤ番号を生成するＩＤ番号生成部と、上記ＩＤ番号の全てに共通のアクセス番号表示用ＵＲＬを生成するアクセス番号表示用ＵＲＬ生成部と、このアクセス番号表示用ＵＲＬと地域名とによってアクセスされるｗｅｂページを具備し、このｗｅｂページに各地域毎に定められたアクセス番号を記述し、アクセス番号表示用ＵＲＬと地域名が端末から発信された場合に、その指定された地域のアクセス番号を記述したｗｅｂページをそのアクセス番号表示用ＵＲＬと地域名を発信した端末に発送する発送手段を有することを特徴とするＩＤ番号販売システム。
【請求項５】
請求項４記載のＩＤ番号販売システムにおいて、上記ＩＤ番号生成部で生成したＩＤ番号毎にＩＤ番号確認用ＵＲＬを対応付けして用意するＩＤ番号確認用ＵＲＬ生成部を有し、上記ＩＤ番号発送手段はＩＤ番号に上記アクセス番号表示用ＵＲＬと上記ＩＤ番号確認用ＵＲＬを付加してＩＤ番号購入希望者の端末に発送する構成としたことを特徴とするＩＤ番号販売システム。
【請求項６】
請求項５記載のＩＤ番号販売システムにおいて、販売済みのＩＤ番号と、販売済みのＩＤ番号のそれぞれに付したＩＤ番号確認用ＵＲＬと、販売時に入力した各購入者の暗証番号とを組として記憶した対応表を具備し、端末からＩＤ番号確認用ＵＲＬと暗証番号が発信された場合に、ＩＤ番号確認用ＵＲＬと暗証番号が上記対応表に存在するか否かを照合し、上記対応表に存在する場合に限って上記ＩＤ番号確認用ＵＲＬで指定されるｗｅｂページを上記ＩＤ番号確認用ＵＲＬと暗証番号とを発信した端末に返送する構成としたことを特徴とするＩＤ番号販売システム。
【請求項７】
請求項４、５、６記載のＩＤ番号販売システムの何れかにおいて、販売する商品の内容を表示するためのコンテンツを記憶するコンテンツ格納部を有し、上記ＩＤ番号生成部は上記コンテンツ格納部に格納されている商品に対応したＩＤ番号を生成する構成としたことを特徴とするＩＤ番号販売システム。
【発明の詳細な説明】
【０００１】
【発明の属する技術分野】
この発明は例えば国際電話プリペイドカードサービスのＩＤ番号として利用することができるＩＤ番号の販売方法及び、このＩＤ番号販売方法を実現するためのＩＤ番号販売システム、販売したＩＤ番号の管理システムに関する。
【０００２】
【従来の技術】
従来より国際電話の使用料徴収方法としてプリペイドカード方式の徴収方法が実用されている。この場合のプリペイドカードには被膜を削り取ることにより視認が可能となるＩＤ番号が付されており、購入者はこのＩＤ番号を参照しながら又は記憶（筆記などによりメモする）しておき、このＩＤ番号を通話相手先の電話番号と共にダイヤルインすると通話が可能となる。
通話時間がＩＤ番号毎に積算され、予め定められた金額に達すると、そのＩＤ番号が無効とされ、その後はそのＩＤ番号での通話は不能とされる。
【０００３】
このプリペイドカード方式によればプリペイドカードを電話器の自動読取装置に挿入し、自動読取装置で料金の読み取りを行わせる方式でないため、偽造による被害を受ける恐れがない。この点で優れた方式である。
【０００４】
【発明が解決しようとする課題】
上述した国際電話プリペイドカードの販売は一般にコンビニエンスストア或いは空港の販売店などで販売されているが、その販売店まで出向かなければ購入することができない不都合がある。特に海外に渡航してしまった時点でプリペイドカードを購入したい場合（プリペイドカードを使った通話は割引率が高い）には従来の販売方法では利用者に販売することができない欠点がある。これらの欠点を解消するためには国内は元より海外にも多数の販売店と契約して販売を依頼しなければならないため、そのための経費は膨大であり、また、その運用にも多くの人手を必要とする欠点がある。
【０００５】
この発明の目的は世界各国どこからでも、販売店又は自動販売機が設置されている場所まで出向かなくても自由にプリペイドカードに付して販売されるべきＩＤ番号を販売することができるＩＤ番号販売方法及び、ＩＤ番号販売システム・ＩＤ番号利用システムを提供しようとするものである。
【０００６】
【課題を解決するための手段】
この発明の請求項１では、利用者がインターネット上に設置されたＩＤ番号販売システムにアクセスし、希望するサービスを受けるためのＩＤ番号の購入要求を発信することにより、ＩＤ番号販売システムは電子決済機関を呼び出し、この電子決済機関に利用者が会員登録されており、且つ支払い能力があるか否かを調査させ、登録されており、且つ支払い能力があることを確認して利用者に目的とするＩＤ番号を送付し、ＩＤ番号を販売するＩＤ番号販売方法を提案する。
【０００７】
この発明の請求項２では、請求項１記載のＩＤ番号販売方法において、ＩＤ番号販売代金は電子決済機関が利用者から徴収し、電子決済機関からＩＤ番号販売システムの運営者に支払われるＩＤ番号販売方法を提案する。
この発明の請求項３では、請求項１又は２記載のＩＤ番号販売方法の何れかにおいて、ＩＤ番号の購入のための手順の中に購入希望者に暗証番号を入力させるステップを設け、この暗証番号と、ＩＤ番号毎に用意したＩＤ番号確認用ＵＲＬとを記憶部に記憶させ、購入希望者にはＩＤ番号とＩＤ番号確認用ＵＲＬとを送付するＩＤ番号販売方法を提案する。
【０００８】
この発明の請求項４では、請求項１又は２記載のＩＤ番号販売方法の何れかにおいて、ＩＤ番号の購入のための手順の中に購入希望者に暗証番号を入力させるステップを設け、この暗証番号と、ＩＤ番号毎に用意したＩＤ番号確認用ＵＲＬとを記憶部に記憶させると共に、ＩＤ番号購入希望者にはＩＤ番号とＩＤ番号確認用ＵＲＬに加えて全てのＩＤ番号に対して共通に設けたアクセス番号表示用ＵＲＬを付加して送付するＩＤ番号販売方法を提案する。
この発明の請求項５では、端末からのＩＤ番号購入要求に対して電子決済機関に接続要求を発信する電子決済機関呼出手段と、電子決済機関にＩＤ番号購入希望者が当該電子決済機関に登録されて正規の会員であるか否かの調査を依頼する調査要求手段と、調査結果に応じてＩＤ番号購入希望者にＩＤ番号を送付するか否かを判定する判定手段と、この判定手段の判定結果によりＩＤ番号購入希望者の端末にＩＤ番号生成部で生成したＩＤ番号を発送するＩＤ番号発送手段とを具備したＩＤ番号販売システムを提案する。
【０００９】
この発明の請求項６では、請求項５記載のＩＤ番号販売システムにおいて、ＩＤ番号生成部で生成したＩＤ番号毎にＩＤ番号確認用ＵＲＬを対応付けして用意するＩＤ番号確認用ＵＲＬ生成部を設け、ＩＤ番号発送手段はＩＤ番号にＩＤ番号確認用ＵＲＬを付加してＩＤ番号購入希望者の端末に発送する構成としたＩＤ番号販売システムを提案する。
この発明の請求項７では、請求項５又は６記載のＩＤ番号販売システムの何れかにおいて、ＩＤ番号の全てに共通のアクセス番号表示用ＵＲＬを生成するアクセス番号表示用ＵＲＬ生成部を設け、このアクセス番号表示用ＵＲＬ生成部が生成するアクセス番号表示用ＵＲＬをＩＤ番号と共にＩＤ番号購入希望者の端末に発送するＩＤ番号販売システムを提案する。
【００１０】
この発明の請求項８では、販売済みのＩＤ番号と、販売済みのＩＤ番号のそれぞれに付したＩＤ番号確認用ＵＲＬと、販売時に入力した各購入者の暗証番号とを組として記憶した対応表を具備し、端末からＩＤ番号確認用ＵＲＬと暗証番号が発信された場合に、ＩＤ番号確認用ＵＲＬと暗証番号が対応表に存在するか否かを照合し、対応表に存在する場合に限ってＩＤ番号確認用ＵＲＬで指定されるｗｅｂページをＩＤ番号確認用ＵＲＬと暗証番号とを発信した端末に返送する構成としたＩＤ番号販売システムを提案する。
【００１１】
この発明の請求項９では、販売済みのＩＤ番号に付記したアクセス番号表示用ＵＲＬと、地域名とによってアクセスされるｗｅｂページを具備し、このｗｅｂページに各地域毎に定められたアクセス番号を記述し、アクセス番号表示用ＵＲＬと地域名が端末から発信された場合に、その指定された地域のアクセス番号及び利用者にとって便利な情報を記述したｗｅｂページをそのアクセス番号表示用ＵＲＬと地域名を発信した端末に発送する発送手段を設けた構成としたＩＤ番号販売システムを提案する。
【００１２】
この発明の請求項１０では、端末から接続要求に続いて送られて来るＩＤ番号を読み取るＩＤ番号読取手段と、このＩＤ番号読取手段が読み取ったＩＤ番号が有効か否かを検索する検索手段と、この検索手段の検索結果が有効であった場合に端末の回線を端末から送られて来る接続相手先の電話番号の回線に接続する回線制御手段と、回線の接続時間を積算する積算手段と、回線切断時に積算した時間を利用したＩＤ番号に割当てられた通話可能時間から減算処理し、その減算結果を使用時間記億部に記憶させる演算手段とを具備した構成としたＩＤ番号管理システムを提案する。
【００１３】
この発明の請求項１１では、端末から接続要求に続いて送られて来るＩＤ番号を読み取るＩＤ番号読取手段と、このＩＤ番号読取手段が読み取ったＩＤ番号が有効か否かを検索する検索手段と、この検索手段の検索結果が有効であった場合に端末に販売する商品の内容を表示するコンテンツ格納手段と、端末からどの商品を購入するかの応答に従って、その商品の発送手続を実行する発送制御手段と、ＩＤ番号に割当てられた価格から商品の価格を減算し、その減算結果を対応するＩＤ番号の金額記憶部に書き戻す演算手段とを具備した構成としたＩＤ番号管理システムを提案する。
【００１４】
この発明の請求項１２では、請求項１１記載のＩＤ番号管理システムにおいて、商品は物品或いは入場を許可するための識別番号あるいはサービスの提供の何れかであるＩＤ番号管理システムを提案する。
作用
この発明によるＩＤ番号販売方法及びＩＤ番号販売システムによれば、利用者の端末はインターネットを通じてサーバつまりＩＤ番号販売システムに接続し、このＩＤ番号販売システムからＩＤ番号を購入することができるから、世界のどこからでも手元にインターネットに接続できる端末さえ有ればＩＤ番号を購入することができる。従って、利用者としては販売店或いは自動販売機の設置場所に出向く必要が無く、自宅或いは宿泊先で自由にＩＤ番号を購入することができる。また、販売側としては多くの数の販売店と販売契約を結ぶ必要がないため、廉価な経費でＩＤ番号を販売することができる。また、販売システムの運用に当たってもＩＤ販売システムを管理することだけで済むため、運用経費も少なく済む利点が得られる。
【００１５】
また、この発明によるＩＤ番号利用システムによれば電話回線の接続サービスは元より、物品の販売あるいは入場券に変わるＩＤ番号あるいは各種サービスの販売などを行うことができる。従って、その応用は広く考えられ、利用価値の高いＩＤ番号利用システムを構築することができる利点が得られる。
【００１６】
【発明の実施の形態】
図１にこの発明によるＩＤ番号販売システムの概要を示す。尚、ここでは説明を簡素に済ませるためにＩＤ番号の利用形態として電話接続サービスに適用する例として説明する。図中１００は利用者が操作する端末、２００はインターネット網、３００はこの発明によるＩＤ番号販売システム、４００は信販会社或いはクレジットカード会社のような電子決済が可能な電子決済機関を示す。
端末１００はインターネット網２００に接続することが可能な例えばパーソナルコンピュータ或いはｉモード（株式会社エヌ・ティ・ティ・ドコモの商標）のような端末をインターネット網２００に接続可能な端末を利用することができる。
【００１７】
端末１００がインターネット網２００を通じてＩＤ番号販売システム３００に接続され、ＩＤ番号の購入要求を発信すると、先ずＩＤ番号販売システム３００は電子決済機関４００のコンピュータ４０１を呼び出す。ＩＤ番号販売システム３００と電子決済機関４００との接続はインターネット網２００又は専用線２０１を経由して行われる。
ここで、この発明によるＩＤ番号販売方法を利用する利用者が備えるべき要件としては、利用者は予め電子決済機関４００の会員として登録されており、支払い能力があることとする。つまり、電子決済機関４００から例えばクレジットカードが付与されており、クレジットカード番号と本人氏名とにより本人であることが認証できかつ利用しようとしている金額の支払い能力があることを要件とする。
【００１８】
電子決済機関４００のコンピュータ４０１はＩＤ番号の購入要求を発信した端末１００に対し、本人認証のために本人氏名と、クレジットカード番号、暗証番号等の入力を要求する。端末１００からこれに応答して予め登録してある氏名とクレジットカード番号、暗証番号を入力すると、電子決済機関４００のコンピュータ４０１は自社のデータベース４０２に氏名とクレジットカード番号、暗証番号及び利用金額の支払い能力があるか否かを照合する。
照合の結果、確かに会員登録されていることが確認され、更にその会員が有効な会員で支払い能力があることが確認されると、電子決済機関４００のコンピュータ４０１はＩＤ番号販売システム３００にその確認の結果を通知する。会員登録されていない場合又は支払い能力がない場合は、ＩＤ番号販売システム３００はその旨を端末１００に通知し接続を切断する。
【００１９】
ＩＤ番号販売システム３００は電子決済機関４００から会員であることを認証した結果を受信すると、ＩＤ番号の購入要求を発信した端末１００に対してＩＤ番号を送付し、端末１００にＩＤ番号を表示させる。
利用者は表示されたＩＤ番号を紙等に書き取り、事後の利用に備える。
以上はＩＤ番号販売方法の概要であるが、必要に応じて以下のような工夫が施される。つまり、ＩＤ番号販売システム３００は電子決済機関４００から購入要求を発信した端末１００の利用者が会員であると認証した結果を受信した場合、ＩＤ番号の購入を希望した端末１００に対して例えば販売するＩＤ番号の種別（例えば通話が可能な時間の種類と販売価格）を通知し、どの販売価格を選択するかを問い合わせる。この通知はＩＤ番号販売システム３００に備えたコンテンツ格納部３０１から読み出されて端末１００に発送し、端末１００の表示器に表示する。利用者は表示器に表示された種類（販売価格）を選択し、その選択の結果をＩＤ番号販売システム３００に返送する。
【００２０】
ＩＤ番号販売システム３００は返送された販売価格に属するＩＤ番号を端末１００に送付し、販売を完了する。尚、販売するＩＤ番号は予め定められたアルゴリズムに従って作成され、単純に数字を羅列しただけで偽造することは極めて困難な数字列で構成され、例えば１５桁程度の規模とすることができる。
ＩＤ番号の販売時に採られる更に他の工夫としては、購入したＩＤ番号を購入者が忘れてしまった場合に、これを救済するための処置を講ずる点である。このためには販売済みの各ＩＤ番号毎にＩＤ番号販売システム３００にあらかじめ対応するＵＲＬ及びｗｅｂページを設けておき、このｗｅｂページを利用者が自己の端末１０１又は１０２に取り込むことにより、購入したＩＤ番号を再確認できるように構成することができる。
【００２１】
このためにはＩＤ番号の販売時に販売するＩＤ番号に、各ＩＤ番号に割当てたｗｅｂページを指し示すＵＲＬを添付して利用者の端末１００に送付し、端末１００にＵＲＬを記憶させる。尚、ＩＤ番号を各端末１０１又は１０２に記憶させると盗難に合う危険があるため、ＩＤ番号を端末１００に記憶させることは禁止する。
端末１００にｗｅｂページを取り込むためにはＵＲＬと共に、販売時に入力した暗証番号（販売時に端末１００から入力し、これをＩＤ番号販売システム３００に記憶しておく）とを端末１００から入力させ、これらＵＲＬと暗証番号が販売時点の記憶と一致した条件が揃った段階でそのＩＤ番号を記述しているｗｅｂページを端末１００に送付し、端末１０１又は１０２の表示器に購入したはずのＩＤ番号を表示させ、再確認させる。
【００２２】
また、他のサービスの方法として、この種の電話接続サービスではＩＤ番号を利用して通話する際に、利用者が現在居る場所によって予め定められたアクセス番号をダイヤルする必要がある。例えば日本からアメリカに通話する際には図２に示すように数字列Ａ１で構成される「００３４…」のようなアクセス番号をダイヤルし、そのアクセス番号の次に数字列Ａ２で構成されるＩＤ番号をダイヤルし、以下数字列Ａ３で構成される通話相手国に定められた番号、数字列Ａ４で構成される通話相手先の市外局番、数字列Ａ５で構成される通話相手の電話番号の順にダイヤルされる。
【００２３】
最初にダイヤルするアクセス番号は利用者が例えばアメリカに居る場合は、例えば「００１２３４」フランスに居る場合は「００５４３２」のように指定される。プリペイドカードでＩＤ番号を販売した場合はこのアクセス番号を記載したパンフレットをプリペイドカードに添付して販売しているから、アクセス番号に関しては利用者に周知徹底させることができる。然し乍ら、この発明のＩＤ番号販売方法を採った場合には、このアクセス番号を利用者に何れかの方法によって知らせる必要がある。
【００２４】
この発明ではＩＤ番号を販売する際に、販売するＩＤ番号に、アクセス番号を知らせるために設けたｗｅｂページを指し示すＵＲＬを添付して発送し、端末１００に記憶させる。アクセス番号を知りたい場合は、このＵＲＬと現在位置を表す地域名を端末１００から発信させることにより、アクセス番号を表記したｗｅｂページをその端末１００に送り込み、アクセス番号を端末１００に表示させる構成としたＩＤ番号販売方法を提案するものである。
図３に上述したＩＤ番号販売システム３００の概略の構成を示す。ＩＤ番号販売システム３００はＣＰＵ３０２の制御下に先に説明したコンテンツ格納部３０１と、ＩＰアドレス付与手段３０３と、電子決済機関４００に接続要求を発信する電子決済機関呼出手段３０４と、電子決済機関４００に利用者が登録されているか否かを調査することを依頼する調査要求手段３０５と、判定手段３０６と、ＩＤ番号生成部３０７と、ＩＤ番号発送手段３０８と、販売済ＩＤ番号記憶部３０９と、インターフェース３１０とが配置されて構成される。
【００２５】
コンテンツ格納部３０１は先にも説明したように端末１００からＩＤ番号の購入要求が入力された場合に、その端末１００の操作者が電子決済機関４００の会員であることが確認された時点でコンテンツ（情報内容）をその端末１００にインターフェース３１０を通じて発送し、販売される商品の内容（この場合は通話可能な時間の種類と価格）を端末１００に表示される。ＩＰアドレス付与手段３０３は端末１００から接続要求を着信した場合に、その接続要求を発信した端末１００にＩＰアドレス（インターネット上のアドレス）を付与し、インターネット網２００を通じて端末１００とＩＤ番号販売システム３００との間の接続状態を確保し、データの授受が可能な状態を維持する。
【００２６】
電子決済機関呼出手段３０４は端末１００からＩＤ番号の購入要求が発信された場合に、電子決済機関４００のコンピュータ４０１を呼び出し、その購入要求を発信した端末１００と電子決済機関４００のコンピュータ４０１とを間接的に接続し、端末１００と電子決済機関４００のコンピュータ４０１との間で与信に必要な手順を開始する。
電子決済機関４００のコンピュータ４０１の問い合わせにより、端末１００から必要な情報（氏名、クレジットカード番号、暗証番号など）がコンピュータ４０１に入力された時点で、ＩＤ番号販売システム３００の調査要求手段３０５は電子決済機関４００のコンピュータ４０１に対して調査要求を発信し、電子決済機関４００のコンピュータ４０１に調査の依頼を指示する。
【００２７】
電子決済機関４００のコンピュータ４０１は調査依頼に従って、自社のデータベース４０１に端末１００から入力された氏名、クレジットカード番号、暗証番号等が存在し、且つ有効な会員であるか否かを照合する。照合の結果「有効」の結果（会員登録されている）が得られた場合、ＩＤ番号販売システム３００はコンテンツ格納部３０１から通話可能時間の種類と価格のデータを端末１００に送り出し、そのコンテンツを表示させる。
端末１００からどの種類を選択するかの応答が入力されると、判定手段３０６は端末１００から送られて来た選択結果に従って、ＩＤ番号生成部３０７で生成され、各価格別に割り当てて用意したＩＤ番号を選択し、ＩＤ番号発送手段３０８を通じてＩＤ番号を端末１００に発送する。これと共に、発送したＩＤ番号を販売済ＩＤ番号記憶部３０９に記憶する。以上によりＩＤ番号の販売が完了する。
【００２８】
この販売に係わる代金の流れは、先ず電子決済機関４００が利用者のクレジットカードの口座から代金を徴収し、この徴収した代金から電子決済機関４００は手数料相当額を差し引き、その残りの金額をＩＤ番号販売システム３００の運営者に支払い、取引が完了する。
販売されたＩＤ番号は購入者により紙などにメモされ、電話（主に国内から海外又は海外から日本国）をかける際に、このＩＤ番号をダイヤルの一部に挿入することにより、通話できることになる。
【００２９】
図４は販売するＩＤ番号にＩＤ番号確認用ＵＲＬを添付して発送する構成と、このＩＤ番号確認用ＵＲＬが端末１００から送られて来た場合に、その端末を操作している操作者が確かにＩＤ番号を購入した本人であることを認証し、その本人が購入したＩＤ番号をその端末に再送して確認を行う構成を付加した実施例を示す。
このためにはＩＤ番号確認用ＵＲＬ生成部３１１を設け、このＩＤ番号確認用ＵＲＬ生成部３１１で販売されるＩＤ番号毎に異なるＵＲＬを生成し、このＵＲＬを販売されるＩＤ番号に添付してＩＤ番号発送手段３０８から発送させる構成を付加すると共に、販売済ＩＤ番号記憶部３０９には販売済のＩＤ番号にこのＩＤ番号に添付して発送したＩＤ番号確認用ＵＲＬとを組として記憶させる。更に、この記憶の組には販売時に購入希望者が入力した暗証番号をも記憶させる。図５にその一例を示す。ＩＤ番号ＮＯ．１と、ＩＤ番号確認用ＵＲＬのＮＯ．１と、暗証番号のＮＯ．１とがペアで記憶される。他のＩＤ番号ＮＯ．２、ＮＯ．３…も同様にＩＤ番号確認用ＵＲＬと、暗証番号とがペアで記憶される。
【００３０】
利用者がＩＤ番号を忘れてしまった場合にはＩＤ番号確認用ＵＲＬに暗証番号を添付して発信すればよい。このＵＲＬによりＩＤ番号販売システム３００に設けた例えば照合手段３１２が起動されて送られて来たＩＤ番号確認用ＵＲＬと暗証番号が販売済ＩＤ番号記憶部３０９に存在するか否かを検索する。検索の結果、販売済みＩＤ番号記憶部３０９に送られて来たＵＲＬと暗証番号とが一致する組が存在した場合は、ＩＤ番号確認用ｗｅｂページ群３１３の中から送られて来たＩＤ番号確認用ＵＲＬで指定されるｗｅｂページを端末１００に送り返す。このｗｅｂページにはＩＤ番号確認用ＵＲＬとペアの関係にあるＩＤ番号が記述されており、例えば図６に示すように、「お客様のご購入になったＩＤ番号は（○○○○○）です」のように表示される。
【００３１】
図７は図４に示した実施例にアクセス番号表示用ＵＲＬ生成部３１４を付加した実施例を示す。アクセス番号表示用ＵＲＬ生成部３１４は販売されるＩＤ番号の全てにわたって共通のＵＲＬで与えられる。従って、ＩＤ番号を販売する場合には販売するＩＤ番号に、ＩＤ番号確認用ＵＲＬと、このアクセス番号表示用ＵＲＬとを添付して端末１００に発送する。
端末１００からアクセス番号を知りたい場合はアクセス番号表示用ＵＲＬを発信すればよい。このＵＲＬによってＩＤ番号販売システム３００に設けたアクセス番号表示用ｗｅｂページ群３１５のトップページが端末１００に送られる。トップページには例えば「今あなたが居られる場所はどこですか？」と問い合わせ、地域名を表示する。利用者はその地域名の中から自身が現在居る場所の地域名、例えばアメリカ、カナダ、イギリス、フランス、ドイツ…をクリックしてＩＤ番号販売システム３００に返送すれば、その地域名に相当するｗｅｂページが選択されて端末１００に送り返され、その地域のアクセス番号が知らされる。
【００３２】
このように、ＩＤ番号の販売時にＩＤ番号確認用ＵＲＬとアクセス番号表示用ＵＲＬを添付して購入者の端末１００に送り込んでおけば、その端末１００から、これらのＵＲＬと、必要に応じて暗証番号を入力すれば、インターネット網２００を通じて世界のどこにでもＩＤ番号とアクセス番号を知らせることができる。これにより利用者に不利益が発生することのないＩＤ番号の販売を実現することができる。
図８は販売されたＩＤ番号を利用する場合のＩＤ番号管理システム（請求項１０）の一実施例を示す。図１乃至図７と対応する部分には同一符号を付して示す。  図８において、１００ＡはＩＤ番号を利用する利用者（特に図示しない）が操作する端末、１００Ｂは端末１００Ａから接続要求する端末、２１０は電話回線網、５００はこの発明によるＩＤ番号管理システムを示す。
【００３３】
端末１００Ａ、１００ＢとしてはここではＩＤ番号の利用形態として電話回線の接続サービスを実施する例を説明するから、端末１００Ａ、１００Ｂは電話機１０１又は携帯電話機１０２であるものとする。ＩＤ番号管理システム５００は交換機５０１を具備し、各端末からの接続要求に対して回線制御を実行して接続サービスを行う。
端末１００Ａから電話回線網２１０を通じてＩＤ番号管理システム５００を呼び出すためのアクセス番号は上述したように予め利用者に知らされており、このアクセス番号に続いて購入したＩＤ番号を入力する。更に、接続先の国番号、接続相手の市外局番、接続相手の電話番号の順にダイヤルすることにより、端末１００Ａは接続相手の端末１００Ｂの電話回線に接続される。この電話回線の接続はＩＤ番号管理システム５００に設けられている回線制御手段と交換機によって実行される。
【００３４】
図９は図８に示したＩＤ番号管理システム５００の構成の概要を示す。ＩＤ番号管理システム５００はＣＰＵ５０２の制御下に交換機５０１と、ＩＤ番号読取手段５０３と、検索手段５０４と、電話番号読取手段５０５と、回線制御手段５０６と、積算手段５０７と、演算手段５０８と、データベース５０９と、インターフェース５１０とが配置されて構成される。データベース５０９には販売されたＩＤ番号と、そのＩＤ番号に付加された使用時間等が蓄積される。
端末１００Ａでは例えば図２に示した順序でダイヤル信号を発信することにより、図２に示した１番目の数字列Ａ１でＩＤ番号管理システム５００がアクセスされ、ＩＤ番号管理システム５００と端末１００Ａとが電話回線網２１０を介して接続される。
【００３５】
続いて、端末１００ＡからＩＤ番号が発信されると、ＩＤ番号読取手段５０３がそのＩＤ番号を読み取り、この読み取ったＩＤ番号を検索手段５０４に引き渡す。検索手段５０４はＩＤ番号読取手段５０３から受け取ったＩＤ番号がデータベース５０９に存在するか否かを検索する。尚、このデータベース５０９には先に説明したＩＤ番号販売システム３００に設けられた販売済ＩＤ番号記憶部３０９に記憶した販売済のＩＤ番号が記憶されている。検索手段５０４がデータベース５０９にＩＤ番号の存在を確認すると、電話番号読取手段５０５は端末１００Ａから送られてくる接続先の電話番号を読み取り、この電話番号を回線制御手段５０６に送り込む。
【００３６】
回線制御手段５０６は交換機に接続先の電話番号を送出し、端末１００Ａの回線を接続相手先の端末１００Ｂの回線に接続し、通話を行わせる。
積算手段５０７は通話時間を積算する。通話終了時には演算手段５０８がその積算した通話時間を通話に使用したＩＤ番号の通話可能な時間から減算し、その減算結果を再びデータベース５０９に書き戻す。
尚、通話度数管理手段５１３は通話中に通話可能な時間と通話時間とを監視し、通話可能な時間の残りが所定の時間に達すると警報を発生させる。
【００３７】
通話可能な時間がゼロに達した場合は、そのＩＤ番号の使用を不能にする。
図１０に上述したＩＤ番号販売システム３００の他の実施例を示す。ＩＤ番号販売システム３００はＣＰＵ３０２の制御下に先に説明したコンテンツ格納部３０１と、ＩＰアドレス付与手段３０３と、電子決済機関４００に接続要求を発信する電子決済機関呼出手段３０４と、電子決済機関４００に利用者が登録されているか否かを調査することを依頼する調査要求手段３０５と、判定手段３０６と、ＩＤ番号生成部３０７と、ＩＤ番号発送手段３０８と、販売済ＩＤ番号記憶部３０９と、インターフェース３１０とが配置されて構成される。
【００３８】
コンテンツ格納部３０１は先にも説明したように端末１００からＩＤ番号の購入要求が入力された場合に、その端末１００の操作者が電子決済機関４００の会員であることが確認された時点でコンテンツ（情報内容及び商品）をその端末１００にインターフェース３１０を通じて発送し、販売される商品の内容（商品の種類と価格）を端末１００に表示される。ＩＰアドレス付与手段３０３は端末１００から接続要求を着信した場合に、その接続要求を発信した端末１００にＩＰアドレス（インターネット上のアドレス）を付与し、インターネット網２００を通じて端末１００とＩＤ番号販売システム３００との間の接続状態を確保し、データの授受が可能な状態を維持する。
【００３９】
電子決済機関呼出手段３０４は端末１００からＩＤ番号の購入要求が発信された場合に、電子決済機関４００のコンピュータ４０１を呼び出し、その購入要求を発信した端末１００と電子決済機関４００のコンピュータ４０１とを間接的に接続し、端末１００と電子決済機関４００のコンピュータ４０１との間で与信に必要な手順を開始する。
電子決済機関４００のコンピュータ４０１の問い合わせにより、端末１００から必要な情報（氏名、クレジットカード番号、暗証番号など）がコンピュータ４０１に入力された時点で、ＩＤ番号販売システム３００の調査要求手段３０５は電子決済機関４００のコンピュータ４０１に対して調査要求を発信し、電子決済機関４００のコンピュータ４０１に調査の依頼を指示する。
【００４０】
電子決済機関４００のコンピュータ４０１は調査依頼に従って、自社のデータベース４０１に端末１００から入力された氏名、クレジットカード番号、暗証番号等が存在し、且つ有効な会員であるか否かを照合する。照合の結果「有効」の結果（会員登録されている）が得られた場合、ＩＤ番号販売システム３００はコンテンツ格納部３０１から商品の種類と価格のデータを端末１００に送り出し、そのコンテンツを表示させる。
端末１００からどの種類を選択するかの応答が入力されると、判定手段３０６は端末１００から送られて来た選択結果に従って、ＩＤ番号生成部３０７で生成され、各商品別に割り当てて用意したＩＤ番号を選択し、ＩＤ番号発送手段３０８を通じてＩＤ番号を端末１００に発送する。これと共に、発送したＩＤ番号を販売済ＩＤ番号記憶部３０９に記憶する。以上によりＩＤ番号の販売が完了する。
【００４１】
この販売に係わる代金の流れは、先ず電子決済機関４００が利用者のクレジットカードの口座から代金を徴収し、この徴収した代金から電子決済機関４００は手数料相当額を差し引き、その残りの金額をＩＤ番号販売システム３００の運営者に支払い、取引が完了する。
販売されたＩＤ番号は購入者により紙などにメモされ、劇場の入り口で提示して入場したり、商店で商品と交換出来るようにする事が出来る。
【００４２】
【発明の効果】
以上説明したように、この発明によればインターネット網２００上に設置したＩＤ番号販売システム３００でＩＤ番号を販売するから、いつどこからでもＩＤ番号を購入することができる。従って、海外からでも自由にＩＤ番号を購入することができるため、利用者にとっては大変便利である。また、販売する側でも販売店にプリペイドカードの販売を依頼しないで済むため、極めて安価な経費でＩＤ番号の販売を実行することができる利点が得られ、その効果は実用に供して頗る大である。
【図面の簡単な説明】
【図１】この発明によるＩＤ番号販売方法及びＩＤ番号販売システムの概要を説明するためのブロック図。
【図２】この発明のＩＤ番号販売方法で販売したＩＤ番号を利用して電話を掛ける場合のダイヤルの順序の一例を説明するための図。
【図３】図１に示したＩＤ番号販売システムの一実施例を説明するためのブロック図。
【図４】図３に示したＩＤ番号販売システムの他の実施例を示すブロック図。
【図５】図４に示したＩＤ番号販売システムに用いた販売済ＩＤ番号記憶部の内部を説明するための図。
【図６】ＩＤ番号を再送した場合の表示の例を示す図。
【図７】図３に示したＩＤ番号販売システムの他の実施例を示すブロック図。
【図８】この発明のＩＤ番号管理システムの概要を説明するためのブロック図。
【図９】この発明のＩＤ番号管理システムの一実施例を説明するためのブロック図。
【図１０】図９に示した実施例の変形実施例を示すブロック図。
【符号の説明】
１００、１００Ａ、１００Ｂ      端末
２００      インターネット網
３００      ＩＤ番号販売システム
３０１      コンテンツ格納部
３０２      ＣＰＵ
３０３      ＩＰアドレス付与手段
３０４      電子決済機関呼出手段
３０５      調査要求手段
３０６      判定手段
３０７      ＩＤ番号生成部
３０８      ＩＤ番号発送手段
３０９      販売済ＩＤ番号記憶部
３１０      インターフェース
３１１      ＩＤ番号確認用ＵＲＬ生成部
３１２      照合手段
３１３      ＩＤ番号確認用ｗｅｂページ群
４００      電子決済機関
４０１      コンピュータ
４０２      データベース
５００      ＩＤ番号管理システム
５０２      ＣＰＵ
５０３      ＩＤ番号読取手段
５０４      検索手段
５０５      電話番号読取手段
５０６      回線制御手段
５０７      積算手段
５０８      演算手段
５０９      データベース
５１０      インターフェース
５１１      コンテンツ格納部
５１２      発送制御手段
５１３      通話度数管理手段
【図１】
0004183925.tif 000002
【図２】
0004183925.tif 000003
【図３】
0004183925.tif 000004
【図４】
0004183925.tif 000005
【図５】
0004183925.tif 000006
【図６】
0004183925.tif 000007
【図７】
0004183925.tif 000008
【図８】
0004183925.tif 000009
【図９】
0004183925.tif 000010
【図１０】
0004183925.tif 000011